(57)【要約】【課題】島構造を構成する部材の重量が重い場合でも、簡単に組み立てることができ、しかも高い組み立て精度をもって構築することができるホールの島構造を提供する。【解決手段】サイドフレームユニット１１を床面Ｆに立設するに際し、下支柱２１を２枚の「Ｌ」字形部材３２，３３で挟持し、ボルト３７ａ，３８ａ、ナット３７ｂ，３８ｂによって固定する。「Ｌ」字形部材３２は、アンカーボルト３５ａ，ナット３５ｂによって床面Ｆに固定し、長孔３２ｄを設けることで、サイドフレームユニット１１の高さ調整を可能とする。一方、「Ｌ」字形部材３３は、その水平部３３ａに螺合された高さ調整ボルト３６ａのねじ込み量を調整することで、サイドフレームユニット１１の高さを微調整することができる。【選択図】図６
0003128888.tif 000002
【実用新案登録請求の範囲】
【請求項１】
ホール内において複数の遊技機が整列状態で取り付けられる島構造であって、複数の前記遊技機が左右方向に整列された状態で、背中合わせで２列にわたって取り付けるホールの島構造において、
前後方向に向けた姿勢で床面に立設されるとともに、左右方向に複数配設されたサイドフレームユニットと、
隣接する２個のサイドフレームユニットのそれぞれに係合されて、これらサイドフレームユニットを連結する連結フレームユニットと、
前記サイドフレームユニットの下端部を表裏方向から挟持することで前記サイドフレームユニットを立設させる固定具と、を備える、
ことを特徴とするホールの島構造。
【請求項２】
前記固定具は、前記サイドフレームユニットの下端を表裏方向から挟持する１対の「Ｌ」字形部材と、これら「Ｌ」字形部材と前記サイドフレームユニットの下端とを貫通する第１のボルトと前記ボルトに螺合されたナットとを有する、
ことを特徴とする請求項１に記載のホールの島構造。
【請求項３】
前記１対の「Ｌ」字形部材のうちの一方の「Ｌ」字形部材は、アンカーボルト及びナットにより床面に固定される水平部と、前記第１のボルトが貫通される縦長の透孔が形成されるとともに前記サイドフレームユニットの下端を挟持する垂直部とを有する、
ことを特徴とする請求項１又は２に記載のホールの島構造。
【請求項４】
前記１対の「Ｌ」字形部材のうちの他方の「Ｌ」字形部材は、先端を床面に当接させた高さ調整ボルトが螺合する水平部と、前記第１のボルトが貫通される透孔が形成されるとともに前記サイドフレームユニットの下端を挟持する垂直部とを有する、
ことを特徴とする請求項１ないし３のいずれか１項に記載のホールの島構造。
【考案の詳細な説明】
【技術分野】
【０００１】
本考案は、パチンコホールやパチスロホールにおけるホールの島構造に関する。
【背景技術】
【０００２】
パチンコホールやパチスロホールにおいては、複数の遊技機を一まとめにしたブロック、いわゆる島を複数個所に設けることで、ホール全体を構成している。このような島は、ホールの新装開店時には新たに構築されたり、また改装時には、古いものを壊して、新たに配置換えされたりする。
【０００３】
この島は、一般に、まず木枠等によって複数の遊技機を取り付けるための構造物を構成し、これに遊技機を取り付けることで島全体を構築する。この作業は普通、島工事を行う職人によって行われる。
【０００４】
また、特許文献１には、片側３台で２列、計６台の遊技機を備えたブロックを複数並べることで、イベント会場やホール内に多数の遊技機を設置するものが開示されている。
【０００５】
ところが、前者の島工事を伴うものは、工事を行うことができるのが熟練者に限定され、また多くの時間を費やすといった問題があった。このため、ホールの営業ができない時間が長引くといった問題があった。また、一旦構築した島は、再利用ができないという省資源上の問題もあった。
【０００６】
一方、特許文献１に開示されているものは、各ブロックが大きいため、このブロックを搬送したり、並べたりするために、大型のトラックや重機が必要になる等の問題があった。また、イベント会場に設置するには適していても、ホール内に設置するには不向きであるという問題もあった。
【０００７】
このような問題を解消すべく、本願出願人は、先に、特許文献２に係る考案を提案した。すなわち、熟練を要することなく、短時間で構築することができ、しかも再利用が可能であり、さらに運搬時や構築時に大型のトラックや重機が不要で、ホール内に好適に構築することができる島構造を提案した。
【特許文献１】特開２００２−２８３５５号公報
【特許文献２】特開２００５−３０５１１０４号公報
【考案の開示】
【考案が解決しようとする課題】
【０００８】
しかしながら、島構造を構成する部材の重量が重いような場合には、サイドフレームユニット１１（特許文献２の図４参照）にかかる荷重が大きくなるため、特許文献２で開示したサイドフレームユニット１１を床面Ｆに立設させる構造では、必ずしも十分ではないという問題があった。
すなわち、サイドフレームユニット１１の下支柱２１を、断面「コ」字形のコ字形部材３３のうちの、相互に対向する一対の開放側板部のうちの一方に載せて、重量を支えていたために、上述のように、島構造を構成する部材の重量がさらに重くなるような場合には、コ字形部材３３が変形してサイドフレームユニットが傾斜するために、高い組み立て精度を確保することができないおそれがあった。
【０００９】
そこで、本考案は、島構造を構成する部材の重量がさらに重くなったような場合でも、簡単に組み立てることができ、しかも高い組み立て精度をもって構築することができるホールの島構造を提供することを目的とするものである。
【課題を解決するための手段】
【００１０】
請求項１に係る考案は、ホール内において複数の遊技機が整列状態で取り付けられる島構造であって、複数の前記遊技機が左右方向に整列された状態で、背中合わせで２列にわたって取り付けるホールの島構造に関する。この考案に係るホールの島構造は、前後方向に向けた姿勢で床面に立設されるとともに、左右方向に複数配設されたサイドフレームユニットと、隣接する２個のサイドフレームユニットのそれぞれに係合されて、これらサイドフレームユニットを連結する連結フレームユニットと、前記サイドフレームユニットの下端部を表裏方向から挟持することで前記サイドフレームユニットを立設させる固定具と、を備える、ことを特徴としている。
【００１１】
請求項２に係る考案は、請求項１に係るホールの島構造において、前記固定具は、前記サイドフレームユニットの下端を表裏方向から挟持する１対の「Ｌ」字形部材と、これら「Ｌ」字形部材と前記サイドフレームユニットの下端とを貫通する第１のボルトと前記ボルトに螺合されたナットとを有する、ことを特徴としている。
【００１２】
請求項３に係る考案は、請求項１又は２に係るホールの島構造において、前記１対の「Ｌ」字形部材のうちの一方の「Ｌ」字形部材は、アンカーボルト及びナットにより床面に固定される水平部と、前記第１のボルトが貫通される縦長の透孔が形成されるとともに前記サイドフレームユニットの下端を挟持する垂直部とを有する、ことを特徴としている。
【００１３】
請求項４に係る考案は、請求項１ないし３のいずれか１項に係るホールの島構造において、前記１対の「Ｌ」字形部材のうちの他方の「Ｌ」字形部材は、先端を床面に当接させた高さ調整ボルトが螺合する水平部と、前記第１のボルトが貫通される透孔が形成されるとともに前記サイドフレームユニットの下端を挟持する垂直部とを有する、ことを特徴としている。
【考案の効果】
【００１４】
請求項１の考案によると、固定具は、サイドフレームユニットの下端部を表裏方向から挟持することでサイドフレームユニットを立設させるので、サイドフレームユニットを堅固に保持することができ、したがって高い組み立て精度を確保することができる。
【００１５】
請求項２の考案によると、サイドフレームユニットの下端と、「Ｌ」字形部材との接触面積を広く取ることができるので、サイドフレームユニットを安定した姿勢で立設させることができる。
【００１６】
請求項３の考案によると、アンカーボルト及びナットにより床面に固定された一方の「Ｌ」字形部材に対して、サイドフレームユニットを上下方向に移動させることが可能であり、したがって、サイドフレームユニットの高さ調整が可能となる。
【００１７】
請求項４の考案によると、高さ調整ボルトを一方又は他方に回転させることで、サイドフレームユニットの高さ調整及びレベル調整を行うことができる。
【考案を実施するための最良の形態】
【００１８】
以下、本考案の最良の実施形態を図面に基づき詳述する。なお、各図面において、同じ符号を付した部材等は、同じ構成のものであり、これらについての重複説明は適宜省略するものとする。また、各図面においては、説明に不要な部材等は適宜、図示を省略している。
＜実施の形態１＞
【００１９】
図１〜図４を参照して、本考案に係る島構造について説明する。このうち、図１は、本考案に係る島構造が適用された島１の全体斜視図である。また図２（ａ）は島１全体の上面図、（ｂ）は正面図である。ここで、以下の説明では、島１に設置する遊技機がパチンコ台Ｍであって、このパチンコ台Ｍを１列１４台で表側（図１，図２で見える側）に１列、裏側（図１，図２では見えない側）に１列の計２列で、合計２８台配設して１つの島１を構成する場合を例に説明する。なお、これらの図に示す島１は、正面から見た状態において、中央に、パチンコ玉を回収するための柱状のパチンコ玉回収路Ｐが配設されていて、このパチンコ玉回収路Ｐを境に、左側に７台、右側に７台のパチンコ台Ｍ（ただし、図１において左側の７台のパチンコ台Ｍを図示）が設置されるようになっている。また、図１，図２（ｂ）においては、島１におけるパチンコ玉回収路Ｐの左側と右側とでは異なる状態を示している。さらに、図３は、パチンコ台の４台分の島構造を示す斜視図である。図４は、パチンコ台Ｍの４台分の島構造を示す正面図である。
【００２０】
図１〜図４に示すように、島１は、島の強度メンバー（構造体）となるフレーム状の島構造（後述のサイドフレームユニット１１，連結フレームユニット１２〜１５）と、島構造に組み込まれる付属装備（後述のパチンコ玉回収樋１６、パチンコ玉補給路１７等）と、島構造に取り付けられるパネル部材（後述の下パネル１８ａ，１８ｂ、上パネル１９ａ，１９ｂ、サイドパネル２０ａ，２０ｂ）と、パチンコ台等とを主要構成要素として構築されている。
【００２１】
このうち島構造は、前後方向に向けた姿勢でホールの床面Ｆに立設されるとともに、左右方向に複数（本実施の形態では１０個）配設されたサイドフレームユニット１１，１１…、連結フレームユニットとしての、下フレームユニット１２，１２…、１３，１３…と、上フレームユニット１４，１４…、１５，１５…とによって構築されている。なお、図１においては、この島構造に、下パネル１８ａ，１８ａ…、１８ｂ，１８ｂ…、上パネル１９ａ，１９ａ…、１９ｂ，１９ｂ…、そして左側のサイドパネル２０ａ，右側のサイドパネル２０ｂが取り付けられた状を示している。
【００２２】
図５（ａ）に、サイドフレームユニット１１を右側から見た図を示す。サイドフレームユニット１１は、縦長のフレーム状に形成されていて、軸Ｃを基準として前側（同図中の左側）と後側（同図中の右側）とが線対称となるように構成されている。サイドフレームユニット１１は、下から順に配置された、２本の下支柱２１，２１、中支柱２２，２２、上支柱２３，２３と、これらを連結する連結部材２４，２４…、２５，２５…，３０，３０…とによって、全体としてユニットを構成している。２本の下支柱２１，２１及び上支柱２３，２３は、前後方向の間隔（図５中における左右方向の間隔）がほぼ同じに配置されていて、中支柱２２，２２は、これらよりも狭い間隔で配置されている。各中支柱２２の下端及び上端は、それぞれ連結部材２４，２４によって、下支柱２１の上端、及び上支柱２３の下端に連結されている。さらに２本の下支柱２１，２１は、その下端において、連結部材２５によって連結され、また２本の上支柱２３，２３は、その上端において連結部材２５によって連結され、また２本の中支柱２２，２２は、その上端において連結部材３０によって連結されている。上述の各支柱は、その長手方向に直交する方向の断面形状が矩形の溝形部材（例えば鋼材）によって形成されている。また、２本の中支柱２２，２２には、補強板２６が固定されている。この補強板２６は、図５（ｂ）に示すように、コンセント２７等が装着された取付板２８を支持する台座としても兼用される。また、コンセント２７に導かれるケーブル７１は、上面図である図５（ｃ）及び側面図である図５（ｄ）に示すように、上述の連結部材３０によって支持された配線ダクト７０内に配線されている。配線ダクト７０には、図５（ｂ），（ｃ）に示すように、コンセント２７に対応する位置に、透孔７０ａが穿設されていて、配線ダクト７０内のケーブル７１は、この透孔７０ａを通ってコンセント２７に導かれるようになっている。
【００２３】
このように構成されたサイドフレームユニット１１の下端、すなわち下支柱２１，２１の下端には、サイドフレームユニット１１をホールの床面Ｆに立設させるための固定具３１，３１がそれぞれ設けてある。
【００２４】
図６（ａ），（ｂ），（ｃ）に、固定具の拡大図を示す。このうち（ａ）は、図５中の左側の固定具３１を図５（ａ）と同方向から見た拡大図であり、（ｂ）は同じ固定具３１を矢印Ａ方向から見た図であり、（ｃ）は同じ固定具３１を図５（ａ）の背面側から見た図である。
【００２５】
固定具３１は、サイドフレームユニット１１の下支柱２１の下端部を表裏方向（左右方向）から挟み込むＬ字形部材３２，３３とこれらを締結するボルト及びナットによって構成されており、全体は、床面Ｆに敷設された薄板状のベース板３４上に配置されている。Ｌ字形部材３２は、水平板３２ａと垂直板３２ｂとこれらに直交する補強板３２ｃとを有している。水平板３２ａには、透孔（不図示）が穿設されていて、床面Ｆに埋め込まれたアンカーボルト３５ａが貫通されている。アンカーボルト３５ａの上端にナット３５ｂを螺合、締め付けることにより、Ｌ字形部材３２がベース板３４上に固定されている。Ｌ字形部材３２の垂直部３２ｂには、縦方向に長い長孔３２ｄが穿設されている。この長孔３２ｄは、サイドフレームユニット１１の高さ長をするためのものであり、後述するボルト３７ａ，３８ａが貫通される。もう１つのＬ字形部材３３は、水平部３３ａと垂直部３３ｂとを有している。水平部３３ａには、ねじ孔（不図示）が穿設されている。このねじ孔には、高さ調整ボルト３６ａが螺合されていて、高さ調整ボルト３６ａの先端は、ベース板３４に当接されている。高さ調整ボルト３６ａには、水平部３３ａの上面側にナット３６ｂが螺合され、また、水平部３３ａの下面側にナット３６ｃが螺合されている。Ｌ字形部材３３の垂直部３３ｂには、上下に２個の透孔（不図示）が穿設されており、サイドフレームユニット１１の下支柱２１におけるこの透孔に対応する位置にも、同様の透孔（不図示）が穿設されている。これら透孔にはボルト３７ａ及びボルト３８ａが貫通されており、これらボルト３７ａ，３８ａの先端は、上述のＬ字形部材３２の垂直部３２ｂの長孔３２ｄを貫通するとともに、ナット３７ｂ，３８ｂが螺合されている。これらナット３７ｂ，３８ｂを締め付けることにより、Ｌ字形部材３２，３３の垂直部３２ｂ，３３ｂにより、広い面積で下支柱１１を表裏から挟み込んで強力に支持することができるようになっている。
【００２６】
上述構成の固定具３１を使用したサイドフレームユニット１１の高さ調整は次のようにして行う。ボルト３７ａ，３８ａに螺合されたナット３７ｂ，ナット３８ｂを緩め、また、高さ調整ボルト３６ａに螺合されているナット３６ｂ，３６ｃを緩める。この状態で高さ調整ボルト３６ａを右に回すと、サイドフレームユニット１１は上昇し、逆に左に回すと加工する。高さ調整ボルト３６ａを右又は左に適宜に回して、サイドフレームユニット１１を適宜な高さに調整する。高さが決まったら、ナット３７ｂ，３８ｂを締め付け、また、高さ調整ボルト３６ａのナット３６ａ，３６ｂを締め付ける。同様の作業を、サイドフレームユニット１１の２本の下支柱２１，２１に配設された２箇所の固定具３１，３１について行う。これにより、サイドフレームユニット１１の高さ調整及び前後のレベル調整を行うことができる。
【００２７】
図３に示すように、２本のサイドフレームユニット１１，１１のそれぞれの下支柱２１，２１の間に、下フレームユニット１２が配設されている。下支柱２１には、上下方向に多数のスリット２１ａが形成されていて、このスリット２１ａに、下フレームユニット１２の側面から突設されたフック１２ａを係合させることで、下支柱２１間に下フレームユニット１２を取り付けることができる。取り付けられた下フレームユニット１２と床面Ｆとの間には、図３中に示すように間隙Ｇが形成される。この間隙Ｇは、幅木４１を取り付けることで埋められる。２本のサイドフレームユニット１１，１１の下支柱２１，２１の間における床面Ｆ上には、水平部４０ａと垂直部４０ｂとを有する「Ｌ」字形の幅木固定部材４０が配設されている。幅木固定部材４０は、水平部４０ａに貫通させたねじ４２を床面Ｆにねじ込むことで、床面Ｆに固定されている。一方、幅木４１の下端には、後方に向けて折曲され、さらに上方に向けて折曲された折曲部４１ａが設けてある。また、幅木４１の裏面における下端部には、ばね部材４１ｂが固定されている。ばね部材４１ｂは、「Ｌ」字形部４１ｃとその後端に連続する「く」字形部４１ｄを有している。ばね部材４１ｂは、「く」字形部４１ｄが付勢力（ばね力）をもって折曲部４１ａに当接されている。幅木４１は、折曲部４１ａと「く」字形部４１ｄとの間に、上述の幅木固定部材４０の垂直部４０ｂを挟み込むことで下端部が位置決め固定され、また上端部が下フレームユニット１２の下端にねじ止めされている。なお、幅木４１を幅木固定部材４０に取り付ける際には、「く」字形部の下端が広がっていてガイドの役目をなすので、折曲部４１ａと「く」字形部４１ｂとの間に垂直部４０ｂを簡単に挿入することができ、取り付けが容易である。下フレームユニット１２の前面には、下パネル１８ａがねじ止めされて取り付けられている。
【００２８】
図３に示すように、上パネル１９ａは、上フレームユニット１４の上端によって開閉自在に支持されている。開放時の上パネル１９ａは、支持部材５０によってほぼ水平状態で保持されるようになっている。支持部材５０は、上パネル１４に固定される支持金具５１と、この支持金具５１によって水平方向回転可能に支持された支持具５２とを有している。支持金具５１は、上パネル１４に固定された台座部５１ｄとこの台座部５１ｄと一体の円筒部５１ａとを有していて、円筒部５１ａの上端には、傾斜部５１ｂとストッパ部５１ｃとが形成されている。上パネル１９ａの閉鎖状態においては、支持部材５０は、上パネル１９ａによって支持具５２が押し込まれて横向き（左向き）に配置される。支持部材５０は、上パネル１９ａが開放されると、支持具５２がその自重により自動的に傾斜面５１ｂに倣って前方向に回転し、ほぼ９０度回転したところでストッパ部５１によって停止される。その後、開放していた上パネル１９ａを手放すと、上パネル１９ａは、支持部材５０に支持されてほぼ水平状態を維持するようになっている。なお、上パネル１９ａを閉じる場合には、支持具５２を傾斜部５１ｂに逆らうようにして少し回転させ、その後、上パネル１９ａを閉じると、支持具５２は、この上パネル１９ａによって上述の横向きに押し込まれる。このように、支持部材５０は、上パネル1９ａを開放するだけで、特別な開放動作を伴うことなく、自動的に回転して、上パネル１９ａを保持できる位置に移動する。
図７（ａ）の正面図、（ｂ）の右側から見た図に示すように、上フレームユニット１４の表面側にはコンセント板受金物６３、天板受金物６４が配設されている。コンセント板受金具６３は、コンセント６２が取り付けられた取付板を支持するものである。
【図面の簡単な説明】
【００２９】
【図１】パチンコホールにおける島の構成を示す斜視図である。
【図２】（ａ）は島の上面図、（ｂ）は島の正面図である。
【図３】パチンコ台の４台分の島の分解斜視図である。
【図４】パチンコ台の４台分の島の正面図である。
【図５】（ａ）はサイドフレームユニットを右側から見た図である。（ｂ）はコンセントの取付板及び配線ダクトを説明する図である。（ｃ）は配線ダクトを上方から見た図である。（ｄ）は配線ダクトを右側から見た図である。
【図６】固定具を説明する図であり、（ａ）は右側から見た図、（ｂ）は図５（ａ）中の矢印Ａ方向から見た図、（ｃ）は左側から見た図である。
【図７】コンセントが取り付けられた取付板を支持するコンセント板受金物を説明する図であり、（ａ）は正面図、（ｂ）は右側から見た図である。
【符号の説明】
【００３０】
１          島
１１        サイドフレームユニット
１２，１３  下フレームユニット（連結フレームユニット）
３１        固定具
３２        一方の「Ｌ」字形部材
３２ａ      水平部
３２ｂ      垂直部
３２ｄ      縦長の透孔
３３        他方の「Ｌ」字形部材
３３ａ      水平部
３３ｂ      垂直部
３５ａ      アンカーボルト
３６ａ      高さ調整ボルト
３７ａ，３８ａ
第１のボルト
３５ｂ，３７ｂ，３８ｂ
ナット
Ｆ          床面
Ｍ          パチンコ台（遊技機）
【図１】
0003128888.tif 000003
【図２】
0003128888.tif 000004
【図３】
0003128888.tif 000005
【図４】
0003128888.tif 000006
【図５】
0003128888.tif 000007
【図６】
0003128888.tif 000008
【図７】
0003128888.tif 000009